(57)【要約】【課題】建具の使用性を維持することが可能になる、建具を提供すること。【解決手段】建具１は、建物の床面２に対して水平移動可能に設けられた壁の開口部の周縁に設けられた枠体と、枠体に対して開閉自在に取り付けられた扉体とを備えた建具１であって、枠体は、上側横枠及びくつずり横枠５０、並びに、上側横枠と連結された戸先側縦枠及び戸尻側縦枠３０を備え、くつずり横枠５０は、床面２に取り付けられた第１横枠部５１と、第１横枠部５１と別体に形成された第２横枠部５３であって、戸先側縦枠及び戸尻側縦枠３０に取り付けられた第２横枠部５３とを備え、第１横枠部５１と戸尻側縦枠３０とを連結するための連結部材９０であって、壁と床面２との相対水平変位が所定量以上となった場合に、床面２に対する戸先側縦枠及び戸尻側縦枠３０の水平移動が可能となるように形成された連結部材９０を備えた。【選択図】図３
2018048454.tif 000002
【特許請求の範囲】
【請求項１】
建物の床面又は天井面のいずれか一方である縁切面に対して水平移動可能に設けられた壁の開口部に設けられる建具であり、前記開口部の周縁に設けられた枠体と、前記枠体に対して開閉自在に取り付けられた建具本体とを備えた建具であって、
前記枠体は、上下一対の横枠と、前記上下一対の横枠のうち前記縁切面側とは反対側に位置する横枠と連結された左右一対の縦枠とを備え、
前記上下一対の横枠のうち前記縁切面側に位置する横枠は、当該縁切面に取り付けられた第１横枠部と、前記第１横枠部と別体に形成された第２横枠部であって、前記左右一対の縦枠に取り付けられた第２横枠部とを備え、
前記第１横枠部と前記縦枠とを連結するための連結手段であって、少なくとも前記壁と前記縁切面との相対水平変位が所定量以上となった場合に、当該縁切面に対する前記縦枠の水平移動が可能となるように形成された前記連結手段を備えた、
建具。
【請求項２】
前記連結手段を、前記相対水平変位が所定量未満の場合に、前記縦枠の水平移動を規制可能となるように形成した、
請求項１に記載の建具。
【請求項３】
前記連結手段は、樹脂材料にて形成されたボルト又はリベットを備えた、
請求項１又は２に記載の建具。
【請求項４】
前記縦枠の内側に設けられる補助部材であって、前記連結手段によって前記第１横枠部に取り付けられた第１補助側片と、前記縦枠に取り付けられた第２補助側片とを有する補助部材を備えた、
請求項１から３のいずれか一項に記載の建具。
【請求項５】
前記床面を前記縁切面とし、
前記第１横枠部の上側部に、上方に向けて突出する水切り部を形成し、
前記第２横枠部における前記建物の屋外側の側部が前記水切り部よりも前記建物の屋外側に位置するように、当該第２横枠部を配置した、
請求項１から４のいずれか一項に記載の建具。
【請求項６】
前記第１横枠部の見付方向の両端部の各々に、少なくとも当該第１横枠部の内側に水が浸入することを抑制するための水切りカバー部を設けた、
請求項１から５のいずれか一項に記載の建具。
【請求項７】
前記縦枠の下端部のうち前記第１横枠部と対向する部分及び前記第２横枠部における前記建物の屋外側の側部の各々と前記第１横枠部との相互間に、前記縦枠の水平移動を許容するための隙間を形成した、
請求項１から６のいずれか一項に記載の建具。
【発明の詳細な説明】
【技術分野】
【０００１】
本発明は、建具に関する。
【背景技術】
【０００２】
従来、扉が設けられている壁や当該壁の周囲の構造部材が、地震の揺れによって損傷することを低減するための構造が提案されている。このような構造においては、概略的には、壁が床面と縁が切れている状態において、壁と床面との取り合いに設けられるスリット構成体が、壁と床面との相互間に床面に沿って略水平に配置されている。これにより、地震が発生した場合には、壁及び床面が接合されている状態に比べて、床面によって壁の水平移動が拘束されないので（すなわち、床面に対して壁が水平移動可能となるので）、壁及び床面の損傷を低減することができる。
【先行技術文献】
【特許文献】
【０００３】
【特許文献１】特開２００８−２９１４６８号公報
【発明の概要】
【発明が解決しようとする課題】
【０００４】
ここで、扉を構成する枠体が設置される際には、枠体の左右縦枠と連結された枠体の下横枠が床面に取り付けられる。このため、上記従来の構造が適用された壁に設けられた扉においては、地震の発生に伴って床面に対して壁が水平移動すると、当該水平移動に追随して左右縦枠も水平移動しようとするものの、左右縦枠が下横枠を介して床面に拘束されているので、結果として、壁によって左右縦枠が押圧されて変形することにより、扉を構成する扉体を開閉することができなくなるおそれがあることから、扉の使用性を維持するという観点から改善の余地があった。
【０００５】
本発明は、上記従来技術における課題を解決するためのものであって、扉の如き建具の使用性を維持することが可能になる、建具を提供することを目的とする。
【課題を解決するための手段】
【０００６】
上述した課題を解決し、目的を達成するために、請求項１に記載の建具は、建物の床面又は天井面のいずれか一方である縁切面に対して水平移動可能に設けられた壁の開口部に設けられる建具であり、前記開口部の周縁に設けられた枠体と、前記枠体に対して開閉自在に取り付けられた建具本体とを備えた建具であって、前記枠体は、上下一対の横枠と、前記上下一対の横枠のうち前記縁切面側とは反対側に位置する横枠と連結された左右一対の縦枠とを備え、前記上下一対の横枠のうち前記縁切面側に位置する横枠は、当該縁切面に取り付けられた第１横枠部と、前記第１横枠部と別体に形成された第２横枠部であって、前記左右一対の縦枠に取り付けられた第２横枠部とを備え、前記第１横枠部と前記縦枠とを連結するための連結手段であって、少なくとも前記壁と前記縁切面との相対水平変位が所定量以上となった場合に、当該縁切面に対する前記縦枠の水平移動が可能となるように形成された前記連結手段を備えた。
【０００７】
請求項２に記載の建具は、請求項１に記載の建具において、前記連結手段を、前記相対水平変位が所定量未満の場合に、前記縦枠の水平移動を規制可能となるように形成した。
【０００８】
請求項３に記載の建具は、請求項１又は２に記載の建具において、前記連結手段は、樹脂材料にて形成されたボルト又はリベットを備えた。
【０００９】
請求項４に記載の建具は、請求項１から３のいずれか一項に記載の建具において、前記縦枠の内側に設けられる補助部材であって、前記連結手段によって前記第１横枠部に取り付けられた第１補助側片と、前記縦枠に取り付けられた第２補助側片とを有する補助部材を備えた。
【００１０】
請求項５に記載の建具は、請求項１から４のいずれか一項に記載の建具において、前記床面を前記縁切面とし、前記第１横枠部の上側部に、上方に向けて突出する水切り部を形成し、前記第２横枠部における前記建物の屋外側の側部が前記水切り部よりも前記建物の屋外側に位置するように、当該第２横枠部を配置した。
【００１１】
請求項６に記載の建具は、請求項１から５のいずれか一項に記載の建具において、前記第１横枠部の見付方向の両端部の各々に、少なくとも当該第１横枠部の内側に水が浸入することを抑制するための水切りカバー部を設けた。
【００１２】
請求項７に記載の建具は、請求項１から６のいずれか一項に記載の建具において、前記縦枠の下端部のうち前記第１横枠部と対向する部分及び前記第２横枠部における前記建物の屋外側の側部の各々と前記第１横枠部との相互間に、前記縦枠の水平移動を許容するための隙間を形成した。
【発明の効果】
【００１３】
請求項１に記載の建具によれば、上下一対の横枠のうち縁切面側に位置する横枠が、当該縁切面に取り付けられた第１横枠部と、第１横枠部と別体に形成された第２横枠部であって、左右一対の縦枠に取り付けられた第２横枠部とを備え、第１横枠部と縦枠とを連結するための連結手段であって、少なくとも壁と縁切面との相対水平変位が所定量以上となった場合に、当該縁切面に対する縦枠の水平移動が可能となるように形成された連結手段を備えたので、地震等によって上記相対水平変位が所定量以上となった場合に、縁切面に対する壁の水平移動に追随して、縁切面に対して縦枠を水平移動させることができる。よって、従来技術のように、縦枠が縁切面側に位置する横枠を介して縁切面に固定されて、縁切面に対する壁の水平移動に追随できない場合に比べて、枠体又は建具本体の変形又は損傷によって建具が使用できなくなることを抑制でき、建具の使用性を維持することが可能となる。また、連結手段によって第１横枠部と縦枠とを連結できるので、第１横枠部及び縦枠を工場等であらかじめ組み立てた状態で現場で設置でき、従来技術と同様の設置性を維持できる。また、第２横枠部と別体に形成された第１横枠部を縁切面に対して固定できるので、例えば、第１横枠部と縁切面との相互間にシール材が打設されている場合に、地震等の発生によって縁切面に対して縦枠が水平移動しても、シール材が剥がれることを回避できる。
【００１４】
請求項２に記載の建具によれば、連結手段を、上記相対水平変位が所定量未満の場合に、縁切面に対する縦枠の水平移動を規制可能となるように形成したので、上記相対水平変位が所定量未満の場合に、縁切面に対する壁の水平移動に追随することなく、縁切面に対して縦枠の水平移動を規制できる。よって、縁切面に対する縦枠の水平移動を規制しない場合に比べて、当該水平移動によって縦枠の位置が元の位置からずれることを防止でき、建具の使用性が低下することを抑制できる。
【００１５】
請求項３に記載の建具によれば、連結手段が、樹脂材料にて形成されたボルト又はリベットを備えたので、連結手段を安価に製造することができ、建具の製造コストを低減することが可能となる。
【００１６】
請求項４に記載の建具によれば、縦枠の内側に設けられる補助部材であって、連結手段によって第１横枠部に取り付けられた第１補助側片と、縦枠に取り付けられた第２補助側片とを有する補助部材を備えたので、補助部材及び連結手段を外部に露出しないように設置でき、建具の意匠性を維持することが可能となる。
【００１７】
請求項５に記載の建具によれば、第１横枠部の上側部に、上方に向けて突出する水切り部を形成し、第２横枠部における建物の屋外側の側部が水切り部よりも建物の屋外側に位置するように、当該第２横枠部を配置したので、水切り部及び第２横枠部によって、第１横枠部と第２横枠部との隙間を介して水が浸入することを抑制できるので、建具の止水性を向上させることが可能となる。
【００１８】
請求項６に記載の建具によれば、第１横枠部の見付方向の両端部の各々に、少なくとも当該第１横枠部の内側に水が浸入することを抑制するための水切りカバー部を設けたので、水切りカバー部によって、第１横枠部を介して水が浸入することを抑制できるので、建具の止水性を一層向上させることが可能となる。
【００１９】
請求項７に記載の建具によれば、縦枠の下端部のうち第１横枠部と対向する部分及び第２横枠部における建物の屋外側の側部の各々と第１横枠部との相互間に、縦枠の水平移動を許容するための隙間を形成したので、上記上側部が傾斜状又は平坦状に形成された場合でも、地震等によって上記相対水平変位が所定量以上となった場合に、上記第１横枠部と対向する部分及び上記建物の屋外側の側部が上記上側部と当接することを回避しながら、縁切面に対する壁の水平移動に追随して、縁切面に対して縦枠をスムーズに水平移動させることができる。
【図面の簡単な説明】
【００２０】
【図１】本発明の実施の形態１に係る建具の正面図である。
【図２】図１のＡ領域周辺の拡大図であり、（ａ）は正面図（一部図示省略）、（ｂ）は戸尻側からの側面図（一部図示省略）、（ｃ）は底面図（一部図示省略）である。
【図３】図２（ａ）のＢ−Ｂ矢視断面図である（一部図示省略）。
【図４】図２（ａ）のＣ−Ｃ矢視断面図である（一部図示省略）。
【図５】戸尻側縦枠を示す図であり、（ａ）は正面図、（ｂ）は右側面図、（ｃ）は（ｂ）のＤ−Ｄ矢視断面図、（ｄ）は（ｂ）のＥ−Ｅ矢視断面図である。
【図６】第１横枠部を示す図であり、（ａ）は正面図、（ｂ）は（ａ）のＦ−Ｆ矢視断面図、（ｃ）は平面図である。
【図７】第２横枠部を示す図であり、（ａ）は正面図、（ｂ）は（ａ）のＧ−Ｇ矢視断面図、（ｃ）は平面図である。
【図８】補助部材を示す図であり、（ａ）は正面図、（ｂ）は左側面図、（ｃ）は平面図である。
【図９】相対水平変位が所定量以上となった場合の建具を示す図であって、図２（ａ）に対応する領域を示す図である。
【図１０】実施の形態２に係る建具を示す図であって、図３に対応する領域を示す図である。
【図１１】戸尻側縦枠を示す図であり、（ａ）は正面図、（ｂ）は右側面図、（ｃ）は（ｂ）のＨ−Ｈ矢視断面図、（ｄ）は（ｂ）のＩ−Ｉ矢視断面図である。
【図１２】第１横枠部を示す図であり、（ａ）は正面図、（ｂ）は（ａ）のＪ−Ｊ矢視断面図、（ｃ）は平面図である。
【図１３】第２横枠部を示す図であり、（ａ）は正面図、（ｂ）は（ａ）のＫ−Ｋ矢視断面図、（ｃ）は平面図である。
【発明を実施するための形態】
【００２１】
以下に添付図面を参照して、この発明に係る建具の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、建物の床面又は天井面のいずれか一方である縁切面に対して水平移動可能に設けられた壁の開口部に設けられる建具に関するものである。
【００２３】
ここで、「建物」とは、その具体的な構造や種類は任意であるが、例えば、戸建て住宅、アパートやマンションの如き集合住宅、オフィスビル、商業施設、及び公共施設等を含む概念である。また、「縁切面」とは、壁と縁が切られている床面又は天井面（すなわち、壁に対して水平移動可能な状態で設置されている床面又は天井面）を意味する。また、「建物の壁の開口部」とは、建物の壁において窓や入り口を設置するために形成された開口である。また、「建具」とは、開口部の出入り又は視界を抑制又は制限するための構造体を意味し、例えば、開き戸、引き戸、窓等を含む概念である。また、建具の取り付け位置や用途は任意であるが、例えば玄関に設置される「玄関建具」、勝手口や通用口に設置される「勝手口建具」、又は建物内部に設置される「室内建具」等を含む。また、建具の開閉構造は任意であり、例えば、片開式の建具、両開式の建具、片引式の建具、引分式の建具等として構成することができる。以下、実施の形態では、建具が、戸建て住宅の如き建物の玄関に設けられた片開式の戸である場合について説明する。
【００２４】
〔ＩＩ〕実施の形態の具体的内容
次に、実施の形態の具体的内容について説明する。
【００２５】
〔実施の形態１〕
まず、実施の形態１に係る建具について説明する。この実施の形態１は、後述するくつずり横枠の上側部が平坦状に形成されている形態である。
【００２６】
（構成）
最初に、実施の形態１に係る建具の構成について説明する。以下の説明では、図１のＸ方向を建具の左右方向又は幅方向（−Ｘ方向を建具の左方向、＋Ｘ方向を建具の右方向）、図２（ｂ）のＹ方向を建具の前後方向（＋Ｙ方向を建具の前方向（建物の屋外側の方向）、−Ｙ方向を建具の後方向（建物の屋内側の方向））、図１のＺ方向を建具の上下方向（＋Ｚ方向を建具の上方向、−Ｚ方向を建具の下方向）と称する。
【００２７】
建具１は、上述したように建物の玄関に設けられる建具であって、図１に示すように、床面２（縁切面）に対して水平移動可能（具体的には、左右移動可能、前後移動可能）に設けられた壁３の開口部５に設置されており、具体的には、床面２とスリット部４（例えば、アルミシートで被覆されたポリエチレン独立発泡体等）を介して隣接している壁３の開口部５と、床面２における開口部５と対応する部分に形成された凹部６とに囲繞された空間内に設置されている。ここで、図１に示すように、壁３を床面２に対して水平移動可能に設けた理由は、壁３が床面２と接合されている状態では、地震等が発生すると、床面２によって壁３の移動が拘束されることにより、壁３等にねじれ変形が生じやすくなるので、壁３及びその周辺部材（例えば、床面２、柱等）が損傷するおそれがあることから、当該損傷を低減するためである。
【００２８】
また、この建具１は、図１に示すように、概略的に、枠体１０、扉体６０（建具本体）、及びヒンジ部７０を備えて構成されている。ただし、建具１に関する特記しない構成については、従来と同様であるものとして説明を省略する。なお、後述する建具１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２９】
（構成−枠体）
枠体１０は、開口部５の周縁に設置されるものであり、図１に示すように、鋼製（具体的には、スチール製、ステンレス製）の左右一対の縦枠２０、３０及び上下一対の横枠４０、５０を備えている。これら縦枠２０、３０及び横枠４０、５０は、相互に組み合わせられることにより全体として正面矩形環状の枠体１０を構成する。以下では、必要に応じて、左右一対の縦枠２０、３０のうち、戸先側の縦枠２０を「戸先側縦枠２０」と称し、戸尻側の縦枠３０を「戸尻側縦枠３０」と称する。また、上下一対の横枠４０、５０のうち、上側の横枠４０を「上側横枠４０」と称し、下側の横枠５０を「くつずり横枠５０」と称する。
【００３０】
また、図１から図３に示すように、戸先側縦枠２０の一部、戸尻側縦枠３０の一部、及びくつずり横枠５０の一部が床面２よりも下方に位置するように（図１では、これら一部が凹部６によって形成された空間に収容されるように）、これら戸先側縦枠２０、戸尻側縦枠３０、及びくつずり横枠５０が設けられている。また、戸先側縦枠２０には、デッドボルト受けと、ラッチ受けとが設けられている（いずれも図示省略）。デッドボルト受けは、扉体６０を全閉位置（実施の形態１においては図１に示す位置）に位置させた状態（以下、「全閉状態」と称する）において、扉体６０に設けられた後述する公知のデッドボルトを受けるためのデッドボルト受容手段であり、後述するデッドボルトと対応する位置に配置されている。ラッチ受けは、扉体６０に設けられた後述するラッチを受けるためのラッチ受容手段であり、ラッチと対応する位置に配置されている。また、図４に示すように、戸先側縦枠２０及び戸尻側縦枠３０の各々には、第１戸当たり部１１が設けられている。第１戸当たり部１１は、扉体６０と当接することにより、戸先側縦枠２０又は戸尻側縦枠３０と当該扉体６０との相互間の気密性を高めるための気密手段である。この第１戸当たり部１１は、戸先側縦枠２０又は戸尻側縦枠３０の上下方向の全長（又は当該全長よりも短い長さ）にわたって形成されており、後述する戸先側縦枠２０又は戸尻側縦枠３０の第２凹部３３において、第１戸当たり部１１の一部が第２凹部３３から突出するように収容されている。また、上側横枠４０及びくつずり横枠５０の各々には、第２戸当たり部（図示省略）が設けられている。第２戸当たり部は、扉体６０と当接することにより、上側横枠４０及びくつずり横枠５０と当該扉体６０との相互間の気密性を高めるための気密手段である。この第２戸当たり部は、くつずり横枠５０の左右方向の全長よりも短い長さ（又は当該全長）にわたって形成されており、後述するくつずり横枠５０の凹部５３ａにおいて、第２戸当たり部の一部が凹部５３ａから突出するように収容されている。
【００３１】
（構成−扉体）
図１に戻り、扉体６０は、開口部５を開閉するための平板状の開閉体であり、扉枠（図示省略）及び一対の表面材６１を備えている。
【００３２】
（構成−扉体−扉枠）
扉枠は、扉体６０の剛性を主として担う支持部材である。この扉枠は、鋼製（具体的には、スチール製、ステンレス製）の左右一対の縦力骨（図示省略）及び上下一対の横力骨（図示省略）を組み合わせることによって、正面形状が矩形環状となるように形成されている。このうち、左右一対の縦力骨は、長手方向（上下方向）の長さが相互に略同一となるように形成されており、上下方向に略沿うように設けられている。また、上下一対の横力骨は、長手方向（左右方向）の長さが相互に略同一となるように形成されており、左右方向に略沿うように設けられている。
【００３３】
（構成−扉体−表面材）
一対の表面板６１は、扉枠を覆うためのものである。これら一対の表面板６１は、例えば薄厚な鋼材（一例として、スチール、ステンレス）等を用いて構成されており、扉枠を建物の屋内側及び建物の屋外側から挟むように配置され、扉枠に対して溶接、リベット、又は接着剤等によって固定されている。
【００３４】
（構成−扉体−その他の構成）
また、図１に示すように、扉体６０の戸先側には、把手６３、ラッチ（図示省略）、及び施錠装置（図示省略）が設けられている。把手６３は、ユーザが扉体６０の開閉操作を行うためのものであり、扉体６０における建物の屋外側の側面及び建物の屋内側の側面における相互に対応する位置に配置されている。ラッチは、施錠装置による施錠の有無に関わらず、全閉位置に扉体６０を維持するためのものである。このラッチは、扉体６０の内部に設けられた連動機構（図示省略）を介して把手６３と連結されており、ユーザによる把手６３の操作に連動して、ラッチを扉体６０の戸先側の側面から出し入れすることができる。施錠装置は、扉体６０を施錠するための装置である。この施錠装置は、デッドボルト（図示省略）を備えて構成されており、具体的には、ユーザが扉体６０の前方から鍵操作を行うことにより、デッドボルトを扉体６０の戸先側の側面から出し入れすることができ、全閉状態において、このデッドボルトを戸先側縦枠２０に設けられたデッドボルト受けに係止させることで、扉体６０を施錠することができる。
【００３５】
（構成−扉体−ヒンジ部）
ヒンジ部７０は、扉体６０を戸尻側縦枠３０に対して回動自在（開閉自在）に軸支するためのものである。図１に示すように、このヒンジ部７０は、例えば公知の旗蝶番等を用いて構成されており、戸尻側の端部において、相互に間隔を隔てて上下方向に沿って複数並設されている。
【００３６】
（構成−戸先側縦枠及び戸尻側縦枠の構成の詳細）
次に、戸先側縦枠２０及び戸尻側縦枠３０の構成の詳細について説明する。ただし、戸先側縦枠２０及び戸尻側縦枠３０は、特記する場合を除いて、任意の形状、方法、及び材質で製造することができる。実施の形態１において、図１から図５に示すように、戸先側縦枠２０及び戸尻側縦枠３０の各々は、枠材３１、固定材３４を備えている。
【００３７】
（構成−戸先側縦枠及び戸尻側縦枠の構成の詳細−枠材）
枠材３１は、戸先側縦枠２０（又は戸尻側縦枠３０）の基本構造体である。この枠材３１は、横断面形状が左右方向の外側に向けて開放された略コ字状となるように形成された中空状体であり、開口部５の上下方向の略全長にわたって形成されており、上側横枠４０と連結されている。また、この枠材３１は、当該枠材３１の下端部の一部（具体的には、図３、図５（ｃ）に示す当該下端部における後述する第１横枠部５１の上側部５１ａと対向する部分３１ａ（以下、「第１下端部３１ａ」と称する））が後述するくつずり横枠５０の第１横枠部５１と当接し、且つ、当該枠材３１の下端部の他の一部（具体的には、図３、図５（ｃ）に示す当該下端部における後述する第２トロ詰部８５と対向する部分３１ｂ（以下、「第２下端部３１ｂ」と称する））が後述する第２トロ詰部８５と当接しないように配置されている（ただし、これに限られず、例えば、後述する第２トロ詰部８５の上面が平坦状である場合には、第２下端部３１ｂが後述する第２トロ詰部８５と当接するように配置されてもよい）。また、この枠材３１の具体的な構成については任意であるが、実施の形態１では、図２、図４、図５に示すように、戸尻側縦枠３０の枠材３１においては、枠材３１における扉体６０に対応する部分に、左右方向の外側に向けて突出する第１凹部３２を形成することにより、当該第１凹部３２に扉体６０の左右方向の外側の一部を収容することが可能となる（なお、戸先側縦枠２０の枠材３１についても同様とする）。また、この第１凹部３２のうち、扉体６０における建物の屋内側の部分と対応する部分に、建物の屋内側に向けて突出する第２凹部３３を形成することにより、当該第２凹部３３に第１戸当たり部１１を収容することが可能となる（なお、戸先側縦枠２０の枠材３１についても同様とする）。
【００３８】
（構成−戸先側縦枠及び戸尻側縦枠の構成の詳細−固定材）
固定材３４は、枠材３１を壁３に対して固定するためのものである。この固定材３４は、図５に示すように、板状体であり、当該固定材３４の前後方向の長さ（奥行き）が枠材３１のコ字状の開放端部における前後方向の長さ（奥行き）と略同一（又はそれ以上の長さ）であると共に、当該固定材３４の上下方向の長さ（高さ）が枠材３１の上下方向の長さ（高さ）よりも短くなるように形成されている。また、この固定材３４は、枠材３１のコ字状の開放端部側（枠材３１の左右方向の外側の端部側）において、所定間隔を隔てて上下方向に沿って複数並設配置されており、枠材３１に対して溶接等によって固定されていると共に、壁３に対してアンカーボルト（図示省略）によって固定されている。
【００３９】
（構成−戸先側縦枠及び戸尻側縦枠の構成の詳細−その他の構成）
また、図１、図２（ａ）に示すように、戸尻側縦枠３０（又は戸先側縦枠２０）と壁３との相互間の隙間には、シール材８０及び図示しないバックアップ材が設けられている。シール材８０は、枠材３１と壁３との相互間の隙間を塞ぐための部材であり、例えば公知のシール材等を用いて構成されており、当該隙間の上下方向の略全長にわたって形成されている（なお、後述する他のシール材８０の構成についても同様とする）。バックアップ材は、枠材３１を壁３に対して安定して支持するための部材であり、例えば公知のバックアップ材を用いて構成されており、シール材８０よりも建物の屋内側において、上記隙間の上下方向の略全長にわたって形成されている（なお、後述する他のバックアップ材の構成についても同様とする）。これらシール材８０及びバックアップ材によって、枠材３１と壁３との相互間の隙間を介して建物の屋内側に水が浸入することを抑制することができる。
【００４０】
（構成−くつずり横枠の構成の詳細）
次に、くつずり横枠５０の構成の詳細について説明する。ただし、くつずり横枠５０は、特記する場合を除いて、任意の形状、方法、及び材質で製造することができる。実施の形態１において、図１から図４、図６、図７に示すように、くつずり横枠５０は、第１横枠部５１、固定材５２、及び第２横枠部５３を備えている。
【００４１】
（構成−くつずり横枠の構成の詳細−第１横枠部）
第１横枠部５１は、くつずり横枠５０の基本構造体の一部である。図２から図４、図６に示すように、この第１横枠部５１は、左右方向に直交する方向の断面形状が建物の屋内側に向けて開放された略コ字状となるように形成された中空状体であり、開口部５の左右方向の略全長にわたって形成されている。また、この第１横枠部５１の具体的な構成については任意であるが、実施の形態１では、図３、図６に示すように、第１横枠部５１の上側部５１ａを平坦状に形成することにより、扉体６０を収容することが可能となる。なお、このような第１横枠部５１の上側部５１ａの形状に伴って、実施の形態１では、図３、図５（ｂ）、図７（ｂ）に示すように、戸先側縦枠２０及び戸尻側縦枠３０の各々の枠材３１の第１下端部３１ａが当該上側部５１ａと当接可能となるように、当該第１下端部３１ａを平坦状に形成している。また、後述する第２横枠部５３における建物の屋外側の側部５３ｂが当該上側部５１ａと当接しないように、当該建物の屋外側の側部５３ｂを平坦状に形成している（あるいは、これ以外の形状（一例として傾斜状）にて形成されてもよい）。
【００４２】
（構成−くつずり横枠の構成の詳細−固定材）
固定材５２は、第１横枠部５１を床面２に対して固定するためのものである。この固定材５２は、図３、図６に示すように、横板部分が縦板部分から建物の屋外側に向けて突出するＬ字状体に形成されている。具体的には、固定材５２の前後方向の長さ（奥行き）が第１横枠部５１のコ字状の開放端部における前後方向の長さ（奥行き）と略同一（又はそれ以上の長さ）に設定され、固定材５２の左右方向の長さ（幅）が第１横枠部５１の左右方向の長さ（幅）よりも短く設定され、そして、固定材５２の上下方向の長さ（高さ）が第１横枠部５１の上下方向の長さ（高さ）と略同一に設定されている。また、この固定材５２は、第１横枠部５１のコ字状の開放端部側（第１横枠部５１の建物の屋内側の端部側）において、所定間隔を隔てて左右方向に沿って複数並設配置されており、第１横枠部５１に対して溶接等によって固定されていると共に、壁３に対してアンカーボルト８３によって固定されている。
【００４３】
（構成−くつずり横枠の構成の詳細−第２横枠部）
第２横枠部５３は、くつずり横枠５０の基本構造体の他の一部である。図２から図４、図７に示すように、この第２横枠部５３は、第１横枠部５１と別体に形成され、且つ、左右方向に直交する方向の断面形状が下方に向けて開放された略逆Ｕ字状となるように形成された中空状体であり、開口部５の左右方向の略全長にわたって形成されており、戸先側縦枠２０及び戸尻側縦枠３０の各々の枠材３１の側面のうち左右方向の内側の側面に対して溶接等により取り付けられている。また、第２横枠部５３の具体的な構成については任意であるが、実施の形態１では、図３、図７に示すように、第２横枠部５３のうち、扉体６０における建物の屋内側の部分と対応する部分に、建物の屋内側に向けて突出する凹部５３ａを形成することにより、当該凹部５３ａに第２戸当たり部を収容することが可能となる。また、実施の形態１では、図３に示すように、第２横枠部５３と凹部６における建物の屋内側の側面との相互間に隙間が設けられているので、建具１の安全性を維持する観点から、当該隙間が外部に露出しないように、当該隙間を上方から覆うための図示しない蓋部が設けられている。ただし、これに限られず、例えば、蓋部に代えて、上記隙間を埋めるための充填材が設けられてもよい。なお、この充填材の材質については、具体的には、床面２に対する戸先側縦枠２０及び戸尻側縦枠３０の水平移動（具体的には、前後移動）を阻害しない材質が望ましく、一例として、当該水平移動の際に、第２横枠部５３における建物の屋内側の側部５３ｃに押圧されることでつぶれることが可能であり、又は上記隙間から外部にはみ出し可能な公知のコーキング材、公知のスポンジ材等によって形成される。あるいは、上記隙間が外部に露出する場合でも、建具１の安全性を維持できる場合には、蓋部又は充填材を省略してもよい。
【００４４】
（構成−くつずり横枠の構成の詳細−その他の構成）
また、図３に示すように、くつずり横枠５０と床面２との相互間の隙間には、第１横枠部５１と床面２との相互間の隙間を塞ぐためのシール材８０と、シール材８０よりも建物の屋内側に配置されたバックアップ材８１とに加えて、第１トロ詰部８４及び第２トロ詰部８５が設けられている（なお、上側横枠４０の構成についても同様とする）。第１トロ詰部８４は、後述する第１横枠部５１の上側部５１ａよりも下方に位置し、且つ固定材５２の横板部分よりも上方に位置する空間Ｓ（以下、「空間Ｓ」と称する。なお、この空間Ｓは、固定材５２の縦板部分よりも建物の屋外側に位置する。）を埋めるための部材であり、例えばモルタル等の公知の詰材を用いて構成されている。第２トロ詰部８５は、固定材５２と床面２との相互間の隙間、及び戸先側縦枠２０（又は戸尻側縦枠３０）の下端部よりも下方に位置し、且つ凹部６の底部分よりも上方に位置する隙間を塞ぐための部材であり、例えばモルタル等の公知の詰材を用いて構成されており、第１トロ詰部８４よりも建物の屋内側において、これら隙間に充填されている。これらシール材８０、バックアップ材８１、第１トロ詰部８４、及び第２トロ詰部８５によって、くつずり横枠５０と床面２との相互間の隙間を介して建物の屋内側に水が浸入することを抑制することが可能となる。
【００４５】
（構成−上側横枠の構成の詳細）
図１に戻り、枠体１０の上側横枠４０の構成の詳細について説明する。上側横枠４０は、特記する場合を除いて、任意の形状、方法、及び材質で製造することができ、実施の形態１においては、壁３に対して固定具等により固定されている。
【００４６】
（構成−戸先側縦枠及び戸尻側縦枠の各々の枠材と第１横枠部との連結構造）
次に、戸先側縦枠２０及び戸尻側縦枠３０の各々の枠材３１と第１横枠部５１との連結構造について説明する。枠材３１と第１横枠部５１とを連結する連結構造であって、全閉状態において地震等が発生した場合に、少なくとも壁３と床面２（縁切面）との相対水平変位（具体的には、相対左右変位、相対前後変位。以下、単に「相対水平変位」と称する）が所定量以上となった場合に、床面２に対する壁３の水平移動に追随して、床面２に対する戸先側縦枠２０及び戸尻側縦枠３０の水平移動（具体的には、左右移動、前後移動。以下、単に「戸先側縦枠２０及び戸尻側縦枠３０の水平移動」と称する。）が可能となる連結構造として、図２から図４に示すように、連結部材９０及び補助部材１００が設けられている。
【００４７】
（構成−戸先側縦枠及び戸尻側縦枠の各々の枠材と第１横枠部との連結構造−連結部材）
連結部材９０は、枠材３１と第１横枠部５１とを連結するための連結手段であり、図２から図４に示すように、枠材３１の内側において、後述する補助部材１００の第１補助側片１１０を介して第１横枠部５１に取り付けられている。また、この連結部材９０の具体的な構成については任意であるが、実施の形態１では、相対水平変位が所定量未満の場合に、戸先側縦枠２０及び戸尻側縦枠３０の水平移動を規制可能となると共に、相対水平変位が所定量以上となった場合に、戸先側縦枠２０及び戸尻側縦枠３０の水平移動が可能となるように形成されている。ここで、相対水平変位が所定量未満の場合に、戸先側縦枠２０及び戸尻側縦枠３０の水平移動を規制可能となるように、連結部材９０が形成されている理由は、戸先側縦枠２０及び戸尻側縦枠３０の水平移動を規制しない場合に、当該水平移動によって戸先側縦枠２０及び戸尻側縦枠３０の位置が元の位置からずれることにより、建具１の使用性が低下するおそれがあることから、これを回避するためである。また、相対水平変位が所定量以上となった場合に戸先側縦枠２０及び戸尻側縦枠３０の水平移動が可能となるように、連結部材９０が形成されている理由は、相対水平変位が所定量以上となった場合に、戸先側縦枠２０及び戸尻側縦枠３０の水平移動が規制されると、壁３によって扉体６０、戸先側縦枠２０、又は戸尻側縦枠３０が押圧されて変形することにより、扉体６０を開閉することができなくなるおそれがあることから、これを回避するためである。なお、この「所定量」については、例えば、扉体６０、戸先側縦枠２０、又は戸尻側縦枠３０の耐力等に応じて異なり得ることから、実験結果等に基づいて設定されている。
【００４８】
また、この連結部材９０の構成の詳細については、具体的には、相対水平変位が所定量未満の場合に分離することなく形状を保持し、相対水平変位が所定量以上になった場合に破断して分離可能となるボルト（すなわち、相対水平変位が所定量以上に達すると破断する程度の耐力（せん断耐力）を有するボルト）を用いて構成されている。ここで、連結部材９０の径の大きさ及び本数の設定方法、並びに設置方法については、戸先側縦枠２０及び戸尻側縦枠３０の水平移動が可能となる相対水平変位の所定量や、後述する補助部材１００の第１補助側片１１０の形状又は大きさ等に応じて異なり得ることから、実験結果等に基づいて設定しており、例えば、図２から図４に示すように、１つの補助部材１００に対して、所定の径を有する２本の連結部材９０が前後方向に略沿って並設されるように設定している。また、この連結部材９０の材質については、連結部材９０を安価に製造することができるように、例えば、樹脂材料にて形成されている。
【００４９】
このような連結部材９０の構成により、地震等によって相対水平変位が所定量未満の場合に、床面２に対する壁３の水平移動に追随することなく、戸先側縦枠２０及び戸尻側縦枠３０の水平移動を規制できる。よって、戸先側縦枠２０及び戸尻側縦枠３０の水平移動を規制しない場合に比べて、当該水平移動によって戸先側縦枠２０又は戸尻側縦枠３０の位置が元の位置からずれることを防止でき、建具１の使用性が低下することを抑制できる。また、相対水平変位が所定量以上となった場合に、床面２に対する壁３の水平移動に追随して、戸先側縦枠２０及び戸尻側縦枠３０の水平移動を行うことができる。よって、従来技術のように、戸先側縦枠２０及び戸尻側縦枠３０がくつずり横枠５０を介して床面２に固定されて、床面２に対する壁３の水平移動に追随できない場合に比べて、枠体１０又は扉体６０の変形又は損傷によって建具１が使用できなくなることを抑制でき、建具１の使用性を維持することが可能となる。また、連結部材９０によって第１横枠部５１と戸先側縦枠２０又は戸尻側縦枠３０とを連結できるので、第１横枠部５１、戸先側縦枠２０、及び戸尻側縦枠３０を工場等であらかじめ組み立てた状態で現場で設置でき、従来技術と同様の設置性を維持できる。また、第２横枠部５３と別体に形成された第１横枠部５１を床面２に対して固定できるので、第１横枠部５１と床面２との相互間にシール材８０が打設されている場合に、地震等の発生によって床面２に対して戸先側縦枠２０及び戸尻側縦枠３０が水平移動しても、シール材８０が剥がれることを回避できる。
【００５０】
また、このように構成された連結部材９０は任意の方法や材質で製造することができ、例えば、連結部材９０の製造性を高めるために、樹脂材料を用いた型抜き成形を行うことで製造することができる。
【００５１】
（構成−戸先側縦枠及び戸尻側縦枠の各々の枠材と第１横枠部との連結構造−補助部材）
補助部材１００は、連結部材９０による枠材３１と第１横枠部５１との連結を補助するための部材である。図２から図４、図８に示すように、補助部材１００は、枠材３１の内側に設けられており、第１補助側片１１０及び第２補助側片１２０を備えている。
【００５２】
第１補助側片１１０は、第１横枠部５１に取り付けられる側片である。この第１補助側片１１０は、略板状体に形成されており、具体的には、図４、図８に示すように、第１補助側片１１０の前後方向の長さ（奥行き）が枠材３１の前後方向の全長よりも短く、且つ、第１補助側片１１０の左右方向の長さ（幅）が枠材３１の左右方向の全長よりも短くなるように形成されている。また、この第１補助側片１１０は、当該第１補助側片１１０の側面（第１補助側片１１０の下面）が第１横枠部５１の上側部５１ａと当接するように配置されており、当該第１補助側片１１０に形成された取付孔１１１及び当該上側部５１ａに形成された取付孔（図示省略）を介して、連結部材９０及び当該連結部材９０と組み合わせて用いられるナット部９１により第１横枠部５１に対して取り付けられている。
【００５３】
第２補助側片１２０は、枠材３１に取り付けられる側片である。この第２補助側片１２０は、略板状体に形成されており、具体的には、図２から図４、図８に示すように、第２補助側片１２０の前後方向の長さ（奥行き）が枠材３１の前後方向の全長よりも短く、且つ、第２補助側片１２０の上下方向の長さ（高さ）が枠材３１の上下方向の全長よりも短くなるように形成されている。また、この第２補助側片１２０は、当該第２補助側片１２０の側面（第２補助側片１２０の扉体６０側の側面）が枠材３１における左右方向の内側の側部と当接するように配置されており、枠材３１に対して溶接等により取り付けられている。
【００５４】
このような補助部材１００の構成により、補助部材１００及び連結部材９０を外部に露出しないように設置できるので、建具１の意匠性を維持することが可能となる。
【００５５】
また、この補助部材１００は、任意の方法で製造することができ、例えば、補助部材１００の製造性を高めるために、鋼製（具体的には、スチール製、ステンレス製）の板状体を折り曲げ成形することにより、第１補助側片１１０及び第２補助側片１２０を一体に成形し、この折り曲げ成形の前後のいずれかの時点で、取付孔１１１を打ち抜き形成することで製造することができる。
【００５６】
（構成−建具の作用）
次いで、このように構成された、建具１の作用について説明する。
【００５７】
例えば、全閉状態において地震が発生した場合に、相対水平変位が生じることにより、連結部材９０が第１横枠部５１によって押圧される。
【００５８】
この場合において、相対水平変位が所定量未満の場合には、図２（ａ）に示すように、第１横枠部５１による押圧力が連結部材９０の耐力（せん断耐力）を下回ることから、連結部材９０が分離することなく形状を保持することができるので、床面２に対する壁３の水平移動に追随することなく、戸先側縦枠２０及び戸尻側縦枠３０の水平移動を規制することができる。よって、戸先側縦枠２０又は戸尻側縦枠３０の位置が元の位置からずれることを回避でき、建具１の使用性が低下することを抑制することが可能となる。
【００５９】
また、相対水平変位が所定量以上となった場合には、図９に示すように、第１横枠部５１による押圧力が連結部材９０の耐力（せん断耐力）を上回ることから、連結部材９０が破断して分離できるので、床面２に対する壁３の水平移動に追随して、戸先側縦枠２０及び戸尻側縦枠３０の水平移動が可能となる。よって、戸先側縦枠２０及び戸尻側縦枠３０がくつずり横枠５０を介して床面２に固定されて、壁３の水平移動に追随できない場合に比べて、枠体１０又は扉体６０の変形又は損傷によって建具１が使用できなくなることを抑制でき、建具１の使用性を維持することが可能となる。
【００６０】
（構成−建具のその他の構造）
続いて、建具１のその他の構造について説明する。この建具１は、全閉状態において、くつずり横枠５０を介して建物の屋内側に水が浸入することを防止するための止水構造を備えている。また、この止水構造は、見込方向（前後方向）の止水構造と、見付方向（左右方向）の止水構造とを備えている。以下では、これら各止水構造について順次説明する。
【００６１】
（構成−建具のその他の構造−見込方向の止水構造）
まず、見込方向の止水構造について説明する。建物の屋外側に存在する水が見込方向（前後方向）から建物の屋内側に浸入することを防止するための見込方向の止水構造の１つの特徴として、図３、図６に示すように、第１横枠部５１の上側部５１ａに、水切り部１３０が形成されている。水切り部１３０は、上側部５１ａを介して建物の屋内側に水が浸入することを防止するための部材である。この水切り部１３０は、略板状体にて形成されており、具体的には、第１横枠部５１の左右方向の略全長にわたって形成されていると共に、上方に向けて突出するように形成されている。また、この水切り部１３０の形成方法については任意であるが、例えば、水切り部１３０の製造性を高めるために、第１横枠部５１の上側部５１ａの後端部及びその近傍部分を折り曲げ成形することにより形成している。
【００６２】
また、この見込方向の止水構造のもう１つの特徴として、図３に示すように、第２横枠部５３における建物の屋外側の側部５３ｂが水切り部１３０よりも建物の屋外側に位置するように（より具体的には、第１横枠部５１の上側部５１ａと当接しないように）、第２横枠部５３が配置されている。この第２横枠部５３の配置の詳細については、具体的には、第２横枠部５３によって水切り部１３０が上方から覆われると共に、上記建物の屋外側の側部５３ｂと水切り部１３０との相互間、水切り部１３０と第２横枠部５３における建物の屋内側の側部５３ｃとの相互間、及び、上記建物の屋内側の側部５３ｃと凹部６における建物の屋内側の壁部分との相互間に所定の間隔が形成されるように配置されている。この場合において、上記所定の間隔の設定方法については任意であるが、実施の形態１では、図５に示すように、床面２に対する戸先側縦枠２０及び戸尻側縦枠３０の水平移動（具体的には、前後移動）を所定量許容することが可能な長さに設定している。ただし、これに限られず、例えば、上記建物の屋外側の側部５３ｂの前後方向の長さ（奥行き）を図３に示す長さよりも長くすることにより、あるいは、第１横枠部５１の上側部５１ａの前後方向の長さ（奥行き）を図３に示す長さよりも短くして、水切り部１３０を図３に示す設置位置よりも建物の屋外側に設置することにより、床面２に対する戸先側縦枠２０及び戸尻側縦枠３０の水平移動（具体的には、前後移動）を小さくしたり、又は制限することが可能な長さに設定してもよい。また、水切り部１３０の上下方向の長さ（高さ）については、実施の形態１では、図３に示すように、水切り部１３０によって第２横枠部５３の設置が阻害されないように、第２横枠部５３の上下方向の全長よりも短くなるように設定されている。
【００６３】
以上のような見込方向の止水構造の構成により、水切り部１３０及び第２横枠部５３によって、第１横枠部５１と第２横枠部５３との隙間を介して建物の屋内側に水が浸入することを抑制できるので、建具１の止水性を向上させることが可能となる。
【００６４】
（構成−建具のその他の構造−見付方向の止水構造）
次に、見付方向の止水構造について説明する。建物の屋外側に存在する水が見付方向（左右方向）から建物の屋内側に浸入することを防止するための見付方向の止水構造として、図２（ｂ）、図６に示すように、第１横枠部５１の見付方向の両端部（第１横枠部５１の左端部及び右端部）の各々に、水切りカバー部１４０が設けられている。水切りカバー部１４０は、第１横枠部５１の左右両端部から少なくとも当該第１横枠部５１の内側（実施の形態１では、第１横枠部５１の内側を含む床面２の凹部６全体等）に水が浸入することを抑制するための部材である。この水切りカバー部１４０は、略板状体にて形成されており、当該水切りカバー部１４０の側面（扉体６０側の側面）が第１横枠部５１の見付方向の端部と当接するように配置され、第１横枠部５１に対して溶接等により取り付けられている。また、水切りカバー部１４０の大きさ及び設置位置の設定方法については、例えば、少なくとも空間Ｓ全体が水切りカバー部１４０によって覆われるように設定することが望ましく、実施の形態１では、図２（ｂ）に示すように、上記空間全体と戸先側縦枠２０（又は戸尻側縦枠３０）の枠材３１の下端部及びその近傍部分とが覆われるように設定している。また、実施の形態１では、水切りカバー部１４０によって床面２に対する戸先側縦枠２０及び戸尻側縦枠３０の水平移動（具体的には、左右移動）が阻害されないように、水切りカバー部１４０と戸先側縦枠２０又は戸尻側縦枠３０との相互間に隙間が形成されている。なお、この隙間は、戸先側縦枠２０及び戸尻側縦枠３０の水平移動（具体的には、左右移動）を所定量許容することが可能な長さに設定されている。
【００６５】
このような見付方向の止水構造の構成により、水切りカバー部１４０によって、第１横枠部５１を介して建物の屋内側に水が浸入することを抑制できるので、建具１の止水性を一層向上させることが可能となる。
【００６６】
（効果）
このように実施の形態１によれば、上側横枠４０及びくつずり横枠５０のうち床面２側に位置するくつずり横枠５０が、当該床面２に取り付けられた第１横枠部５１と、第１横枠部５１と別体に形成された第２横枠部５３であって、戸先側縦枠２０及び戸尻側縦枠３０に取り付けられた第２横枠部５３とを備え、第１横枠部５１と戸先側縦枠２０又は戸尻側縦枠３０とを連結するための連結部材９０であって、少なくとも壁３と床面２との相対水平変位が所定量以上となった場合に、当該床面２に対する戸先側縦枠２０及び戸尻側縦枠３０の水平移動が可能となるように形成された連結部材９０を備えたので、地震等によって上記相対水平変位が所定量以上となった場合に、床面２に対する壁３の水平移動に追随して、床面２に対して戸先側縦枠２０及び戸尻側縦枠３０を水平移動させることができる。よって、従来技術のように、戸先側縦枠２０又は戸尻側縦枠３０がくつずり横枠５０を介して床面２に固定されて、床面２に対する壁３の水平移動に追随できない場合に比べて、枠体１０又は扉体６０の変形又は損傷によって建具１が使用できなくなることを抑制でき、建具１の使用性を維持することが可能となる。また、連結部材９０によって第１横枠部５１と戸先側縦枠２０又は戸尻側縦枠３０とを連結できるので、第１横枠部５１、戸先側縦枠２０、及び戸尻側縦枠３０を工場等であらかじめ組み立てた状態で現場で設置でき、従来技術と同様の設置性を維持できる。また、第２横枠部５３と別体に形成された第１横枠部５１を床面２に対して固定できるので、例えば、第１横枠部５１と床面２との相互間にシール材８０が打設されている場合に、地震等の発生によって床面２に対して戸先側縦枠２０及び戸尻側縦枠３０が水平移動しても、シール材８０が剥がれることを回避できる。
【００６７】
また、連結部材９０を、上記相対水平変位が所定量未満の場合に、床面２に対する戸先側縦枠２０及び戸尻側縦枠３０の水平移動を規制可能となるように形成したので、上記相対水平変位が所定量未満の場合に、床面２に対する壁３の水平移動に追随することなく、床面２に対して戸先側縦枠２０及び戸尻側縦枠３０の水平移動を規制できる。よって、床面２に対する戸先側縦枠２０及び戸尻側縦枠３０の水平移動を規制しない場合に比べて、当該水平移動によって戸先側縦枠２０又は戸尻側縦枠３０の位置が元の位置からずれることを防止でき、建具１の使用性が低下することを抑制できる。
【００６８】
また、連結部材９０が、樹脂材料にて形成されたボルトを備えたので、連結部材９０を安価に製造することができ、建具１の製造コストを低減することが可能となる。
【００６９】
また、戸先側縦枠２０又は戸尻側縦枠３０の内側に設けられる補助部材１００であって、連結部材９０によって第１横枠部５１に取り付けられた第１補助側片１１０と、当該戸先側縦枠２０又は当該戸尻側縦枠３０に取り付けられた第２補助側片１２０とを有する補助部材１００を備えたので、補助部材１００及び連結部材９０を外部に露出しないように設置でき、建具１の意匠性を維持することが可能となる。
【００７０】
また、第１横枠部５１の上側部５１ａに、上方に向けて突出する水切り部１３０を形成し、第２横枠部５３における建物の屋外側の側部５３ｂが水切り部１３０よりも建物の屋外側に位置するように、当該第２横枠部５３を配置したので、水切り部１３０及び第２横枠部５３によって、第１横枠部５１と第２横枠部５３との隙間を介して水が浸入することを抑制できるので、建具１の止水性を向上させることが可能となる。
【００７１】
また、第１横枠部５１の見付方向の両端部の各々に、少なくとも当該第１横枠部５１の内側に水が浸入することを抑制するための水切りカバー部１４０を設けたので、水切りカバー部１４０によって、第１横枠部５１を介して建物の屋内側に水が浸入することを抑制できるので、建具１の止水性を一層向上させることが可能となる。
【００７２】
〔実施の形態２〕
次に、実施の形態２に係る建具について説明する。この実施の形態２は、くつずり横枠の上側部が傾斜状に形成されている形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７３】
（構成）
まず、実施の形態２に係る建具の構成について説明する。図１０に示すように、実施の形態２に係る建具２００については、実施の形態１に係る建具１とほぼ同様に構成されている。ただし、戸先側縦枠２０及び戸尻側縦枠３０の枠材３１の構成、くつずり横枠５０の構成、及び補助部材１００の構成については、下記に示す工夫が施されている。
【００７４】
（構成−戸先側縦枠及び戸尻側縦枠の構成の詳細）
次に、戸先側縦枠２０及び戸尻側縦枠３０の構成の詳細について説明する。実施の形態２においては、戸先側縦枠２０及び戸尻側縦枠３０の各々の枠材３１は、上側横枠４０と連結されており、図１０に示すように、当該枠材３１の第１下端部３１ａとくつずり横枠５０の第１横枠部５１の上側部５１ａと当接しないように配置されていると共に（すなわち、第１下端部３１ａと上側部５１ａとの相互間に隙間が形成されるように配置されている）、当該枠材３１の第２下端部３１ｂが第２トロ詰部８５と当接しないように配置されている。このような配置により、後述するように、第１横枠部５１の上側部５１ａが傾斜状に形成されている場合でも、相対水平変位が所定量以上となった場合に、上側部５１ａが第１下端部３１ａと当接することを回避しながら、床面２に対する戸先側縦枠２０及び戸尻側縦枠３０を水平移動（具体的には、前後移動）させることが可能となる。なお、実施の形態２においては、第１下端部３１ａと上側部５１ａとの相互間の隙間に、当該隙間を埋めるための図示しない充填材（例えば、公知のコーキング材、公知のスポンジ材等）が設けられていることにより、建具２００の意匠性を維持すると共に、当該隙間を介して建物の屋内側に水が浸入することを抑制することができる。ただし、これに限られず、例えば、建具２００の意匠性を維持できる場合には、充填材を省略してもよい。
【００７５】
（構成−くつずり横枠の構成の詳細）
次に、くつずり横枠５０の構成の詳細について説明する。このくつずり横枠５０の第１横枠部５１の具体的な形状については、実施の形態２において、図１０、図１２（ｂ）に示すように、第１横枠部５１の上側部５１ａの後端部（上側部５１ａにおける建物の屋内側の端部）が当該上側部５１ａの前端部（上側部５１ａにおける建物の屋外側の端部）よりも上方に位置するように、当該上側部５１ａを傾斜状に形成している。このような形状により、扉体６０を収容することが可能となると共に、当該上側部５１ａを平坦状に形成した場合に比べて、建物の屋内側に水が浸入することを抑制することが可能となる。また、このような第１横枠部５１の上側部５１ａの形状に伴って、実施の形態２では、図１０、図１１（ｂ）、図１３（ｂ）に示すように、戸先側縦枠２０及び戸尻側縦枠３０の各々の枠材３１の下端部と上側部５１ａとの相互間に隙間（具体的には、戸先側縦枠２０及び戸尻側縦枠３０の水平移動を所定量許容可能な隙間）が形成できるように、枠材３１の第１下端部３１ａ及び第２横枠部５３における建物の屋外側の側部５３ｂを傾斜状に形成している。なお、実施の形態２では、枠材３１の第１下端部３１ａ及び上記建物の屋外側の側部５３ｂの傾斜角度は、第１横枠部５１の上側部５１ａの傾斜角度と略同一に設定されている。ただし、これに限られず、例えば、戸先側縦枠２０及び戸尻側縦枠３０の水平移動を許容可能な隙間が維持できる場合には、上側部５１ａの傾斜角度と異なるように設定されてもよい。このような形状により、第１横枠部５１の上側部５１ａが傾斜状に形成されている場合でも、相対水平変位が所定量以上となった場合に、第１下端部３１ａ及び上記建物の屋外側の側部５３ｂが上側部５１ａと当接することを回避しながら、床面２に対する戸先側縦枠２０及び戸尻側縦枠３０を水平移動（具体的には、前後移動）させることが可能となる。
【００７６】
（構成−補助部材の構成の詳細）
次に、くつずり横枠５０の構成の詳細について説明する。図１０に示すように、補助部材１００は、第１補助側片１１０及び第２補助側片１２０を備えている。ここで、第２補助側片１２０の取付方法については、実施の形態２では、図１０、図１１に示すように、第２補助側片１２０に形成された２つの長孔１２１（図１０では、上下方向の長さが前後方向の長さよりも長い長孔１２１）の各々に、戸先側縦枠２０及び戸尻側縦枠３０の各々の枠材３１に溶接等によって接続された棒状のストッパ部１２２（一例として、スタットボルト等）を挿通させた後、当該挿通させたストッパ部１２２から第２補助側片１２０が外れることを防止するための図示しない離脱防止部（一例として、ナット等）を取り付けている。なお、この離脱防止部の取り付けの詳細については、第１横枠部５１、戸先側縦枠２０、及び戸尻側縦枠３０を組み立てた状態で搬送する際には第２補助側片１２０がストッパ部１２２から外れることなく、床面２に対して戸先側縦枠２０及び戸尻側縦枠３０が水平移動する際には補助部材１００が上下方向に移動自在となる程度に締め付けられている。このような取り付けにより、相対水平変位が所定量以上になることで連結部材９０が破断して分離した場合には補助部材１００が上下方向に移動自在となるので、例えば、実施の形態１のように、第２補助側片１２０を枠材３１に対して溶接で取り付ける場合に比べて、戸先側縦枠２０及び戸尻側縦枠３０が水平移動する際に、補助部材１００が上側部５１ａに対して突っ張ることにより、戸先側縦枠２０及び戸尻側縦枠３０の水平移動を阻害することを回避できる。
【００７７】
（効果）
このように実施の形態２によれば、第１横枠部５１の上側部５１ａの後端部が当該上側部５１ａの前端部よりも上方に位置するように、当該上側部５１ａを傾斜状に形成し、枠材３１の第１下端部３１ａ及び第２横枠部５３における建物の屋外側の側部５３ｂの各々と第１横枠部５１との相互間に、戸先側縦枠２０及び戸尻側縦枠３０の水平移動を許容するための隙間を形成したので、上側部５１ａが上記傾斜状に形成された場合でも、地震等によって相対水平変位が所定量以上となった場合に、第１下端部３１ａ及び上記建物の屋外側の側部５３ｂが上側部５１ａと当接することを回避しながら、床面２に対する壁３の水平移動に追随して、床面２に対して戸先側縦枠２０及び戸尻側縦枠３０を水平移動させることができる。
【００７８】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る建具の使用性が従来と同程度であっても、従来と異なる構造により従来と同程度の使用性を確保できている場合には、本願の課題は解決している。
【００８０】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８１】
（壁について）
上記実施の形態１、２では、壁３が、床面２に対して左右移動可能及び前後移動可能に設けられていると説明したが、これに限られず、例えば、公知の拘束手段（一例として、レール部材）を用いて床面２に対して左右移動又は前後移動のいずれか一方が可能となるように設けられてもよい。
【００８２】
また、上記実施の形態１、２では、壁３が、スリット部４を介して床面２と隣接していると説明したが、これに限られず、例えば、縁切面と接合されていない状態で当接していてもよい。
【００８３】
（縁切面について）
上記実施の形態１、２では、床面２を縁切面として説明したが、これに限られず、例えば、天井面を縁切面としてもよい。この場合には、くつずり横枠５０に代えて上側横枠４０が、第１横枠部５１及び第２横枠部５３を備える。また、床面２に形成された凹部６及び止水構造を省略してもよい。
【００８４】
（扉体について）
上記実施の形態１、２では、扉体６０の扉枠は、４つの力骨（左右一対の縦力骨及び上下一対の横力骨）を備えていると説明したが、これに限られない。例えば、５つ以上の力骨を備えてもよく、又は、３つ以下の力骨を備えてもよい。あるいは、力骨に代えて、例えばペーパーコア等の公知のコア体を備えてもよい。
【００８５】
（戸先側縦枠及び戸尻側縦枠の各々の枠材と第１横枠部との連結構造について）
上記実施の形態１、２では、建具が、戸先側縦枠２０及び戸尻側縦枠３０の各々の枠材３１と第１横枠部５１との連結構造を備えていると説明したが、これに限られない。例えば、戸先側縦枠２０の枠材３１と第１横枠部５１との連結構造又は戸尻側縦枠３０の枠材３１と第１横枠部５１との連結構造のいずれか一方のみで、実施の形態と同様の効果が得られる場合には、戸先側縦枠２０の枠材３１と第１横枠部５１との連結構造又は戸尻側縦枠３０の枠材３１と第１横枠部５１との連結構造のいずれか他方を省略してもよい。
【００８６】
また、上記実施の形態１、２では、戸先側縦枠２０及び戸尻側縦枠３０の各々の枠材３１と第１横枠部５１との連結構造が、補助部材１００を備えていると説明したが、これに限られない。例えば、連結部材９０のみを用いて枠材３１と第１横枠部５１とを連結できる場合には、補助部材１００を省略してもよい。
【００８７】
上記実施の形態１では、戸先側縦枠２０及び戸尻側縦枠３０の各々の枠材３１の第１下端部３１ａを第１横枠部５１の上側部５１ａと当接するように配置し、第２横枠部５３における建物の屋外側の側部５３ｂを当接しないように配置していると説明したが、これに限られない。例えば、第１下端部３１ａ及び上記建物の屋外側の側部５３ｂの各々と第１横枠部５１（具体的には上側部５１ａ）との相互間に、隙間（すなわち、戸先側縦枠２０及び戸尻側縦枠３０の水平移動を許容するための隙間）を形成することで、第１下端部３１ａと上側部５１ａとの摩擦抵抗をなくして、戸先側縦枠２０及び戸尻側縦枠３０の水平移動（具体的には、前後移動）を一層スムーズに行うことができるようにしてもよい。
【００８８】
（第２横枠部について）
上記実施の形態１、２では、第２横枠部５３における建物の屋外側の側部５３ｂが第１横枠部５１の上側部５１ａと当接しないように、第２横枠部５３が配置されていると説明したが、これに限られない。例えば、床面２に対する戸先側縦枠２０及び戸尻側縦枠３０の水平移動（具体的には、前後移動）が阻害されないのであれば、第２横枠部５３における建物の屋外側の側部５３ｂが第１横枠部５１の上側部５１ａと当接するように、第２横枠部５３が配置されてもよい。
【００８９】
（連結部材について）
上記実施の形態１、２では、連結部材９０が、樹脂材料にて形成されたボルトを備えていると説明したが、これに限られない。例えば、相対水平変位が所定量未満の場合に、戸先側縦枠２０及び戸尻側縦枠３０の水平移動を規制可能となると共に、相対水平変位が所定量以上となった場合に、戸先側縦枠２０及び戸尻側縦枠３０の水平移動が可能であり、且つ従来と同様の設置性を維持可能な部材であればよく、一例として、樹脂材料にて形成されたリベット、枠材３１及び第１横枠部５１にわたって取り付けられるクリップ材、枠材３１と第１横枠部５１との相互に取り付けられるコーキング材や磁石、鋼製（具体的には、スチール製、ステンレス製）やアルミ製のリベットやネジ、又はこれらを組み合わせたものを備えてもよい。あるいは、相対水平変位が所定量未満である場合にも、戸先側縦枠２０及び戸尻側縦枠３０の水平移動が可能であり、且つ従来と同様の設置性を維持可能な部材であってもよく、一例として、枠材３１と第１横枠部５１との相互に取り付けられる免震ゴムを備えてもよい。
【００９０】
また、上記実施の形態１、２では、連結部材９０が、枠材３１と第１横枠部５１とを直接的に連結すると説明したが、これに限られず、例えば、連結部材９０が、第２横枠部５３における建物の屋外側の側部５３ｂを介して枠材３１と第１横枠部５１とを間接的に連結してもよい。
【００９１】
（補助部材について）
上記実施の形態１、２では、補助部材１００が、枠材３１の内側に設けられていると説明したが、これに限られず、例えば、枠材３１の構造上の都合により、枠材３１の内側に設けることができない場合には、枠材３１の外側に設けられてもよい。
【００９２】
（止水構造について）
上記実施の形態１、２では、止水構造が、見込方向の止水構造及び見付方向の止水構造を備えていると説明したが、これに限られず、例えば、建具の製造コストを低減するために、少なくとも見込方向の止水構造又は見付方向の止水構造のいずれか一方を省略してもよい。
【００９３】
（水切りカバー部について）
上記実施の形態１、２では、水切りカバー部１４０が、空間Ｓ全体と、戸先側縦枠２０（又は戸尻側縦枠３０）の枠材３１の下端部及びその近傍部分とを含む領域を覆うと説明したが、これに限られない。例えば、建具の止水性を向上させるために、上述した領域に加えて、上記空間Ｓよりも下方領域又は建物の屋内側の領域（一例として、上記空間から床面２の凹部６に至る領域等）を覆うようにしてもよい。
【００９４】
（付記）
付記１の建具は、建物の床面又は天井面のいずれか一方である縁切面に対して水平移動可能に設けられた壁の開口部に設けられる建具であり、前記開口部の周縁に設けられた枠体と、前記枠体に対して開閉自在に取り付けられた建具本体とを備えた建具であって、前記枠体は、上下一対の横枠と、前記上下一対の横枠のうち前記縁切面側とは反対側に位置する横枠と連結された左右一対の縦枠とを備え、前記上下一対の横枠のうち前記縁切面側に位置する横枠は、当該縁切面に取り付けられた第１横枠部と、前記第１横枠部と別体に形成された第２横枠部であって、前記左右一対の縦枠に取り付けられた第２横枠部とを備え、前記第１横枠部と前記縦枠とを連結するための連結手段であって、少なくとも前記壁と前記縁切面との相対水平変位が所定量以上となった場合に、当該縁切面に対する前記縦枠の水平移動が可能となるように形成された前記連結手段を備えた。
【００９５】
付記２の建具は、付記１に記載の建具において、前記連結手段を、前記相対水平変位が所定量未満の場合に、前記縦枠の水平移動を規制可能となるように形成した。
【００９６】
付記３の建具は、付記１又は２に記載の建具において、前記連結手段は、樹脂材料にて形成されたボルト又はリベットを備えた。
【００９７】
付記４の建具は、付記１から３のいずれか一項に記載の建具において、前記縦枠の内側に設けられる補助部材であって、前記連結手段によって前記第１横枠部に取り付けられた第１補助側片と、前記縦枠に取り付けられた第２補助側片とを有する補助部材を備えた。
【００９８】
付記５の建具は、付記１から４のいずれか一項に記載の建具において、前記床面を前記縁切面とし、前記第１横枠部の上側部に、上方に向けて突出する水切り部を形成し、前記第２横枠部における前記建物の屋外側の側部が前記水切り部よりも前記建物の屋外側に位置するように、当該第２横枠部を配置した。
【００９９】
付記６の建具は、付記１から５のいずれか一項に記載の建具において、前記第１横枠部の見付方向の両端部の各々に、少なくとも当該第１横枠部の内側に水が浸入することを抑制するための水切りカバー部を設けた。
【０１００】
付記７の建具は、付記１から６のいずれか一項に記載の建具において、前記縦枠の下端部のうち前記第１横枠部と対向する部分及び前記第２横枠部における前記建物の屋外側の側部の各々と前記第１横枠部との相互間に、前記縦枠の水平移動を許容するための隙間を形成した。
【０１０１】
（付記の効果）
付記１に記載の建具によれば、上下一対の横枠のうち縁切面側に位置する横枠が、当該縁切面に取り付けられた第１横枠部と、第１横枠部と別体に形成された第２横枠部であって、左右一対の縦枠に取り付けられた第２横枠部とを備え、第１横枠部と縦枠とを連結するための連結手段であって、少なくとも壁と縁切面との相対水平変位が所定量以上となった場合に、当該縁切面に対する縦枠の水平移動が可能となるように形成された連結手段を備えたので、地震等によって上記相対水平変位が所定量以上となった場合に、縁切面に対する壁の水平移動に追随して、縁切面に対して縦枠を水平移動させることができる。よって、従来技術のように、縦枠が縁切面側に位置する横枠を介して縁切面に固定されて、縁切面に対する壁の水平移動に追随できない場合に比べて、枠体又は建具本体の変形又は損傷によって建具が使用できなくなることを抑制でき、建具の使用性を維持することが可能となる。また、連結手段によって第１横枠部と縦枠とを連結できるので、第１横枠部及び縦枠を工場等であらかじめ組み立てた状態で現場で設置でき、従来技術と同様の設置性を維持できる。また、第２横枠部と別体に形成された第１横枠部を縁切面に対して固定できるので、例えば、第１横枠部と縁切面との相互間にシール材が打設されている場合に、地震等の発生によって縁切面に対して縦枠が水平移動しても、シール材が剥がれることを回避できる。
【０１０２】
付記２に記載の建具によれば、連結手段を、上記相対水平変位が所定量未満の場合に、縁切面に対する縦枠の水平移動を規制可能となるように形成したので、上記相対水平変位が所定量未満の場合に、縁切面に対する壁の水平移動に追随することなく、縁切面に対して縦枠の水平移動を規制できる。よって、縁切面に対する縦枠の水平移動を規制しない場合に比べて、当該水平移動によって縦枠の位置が元の位置からずれることを防止でき、建具の使用性が低下することを抑制できる。
【０１０３】
付記３に記載の建具によれば、連結手段が、樹脂材料にて形成されたボルト又はリベットを備えたので、連結手段を安価に製造することができ、建具の製造コストを低減することが可能となる。
【０１０４】
付記４に記載の建具によれば、縦枠の内側に設けられる補助部材であって、連結手段によって第１横枠部に取り付けられた第１補助側片と、縦枠に取り付けられた第２補助側片とを有する補助部材を備えたので、補助部材及び連結手段を外部に露出しないように設置でき、建具の意匠性を維持することが可能となる。
【０１０５】
付記５に記載の建具によれば、第１横枠部の上側部に、上方に向けて突出する水切り部を形成し、第２横枠部における建物の屋外側の側部が水切り部よりも建物の屋外側に位置するように、当該第２横枠部を配置したので、水切り部及び第２横枠部によって、第１横枠部と第２横枠部との隙間を介して水が浸入することを抑制できるので、建具の止水性を向上させることが可能となる。
【０１０６】
付記６に記載の建具によれば、第１横枠部の見付方向の両端部の各々に、少なくとも当該第１横枠部の内側に水が浸入することを抑制するための水切りカバー部を設けたので、水切りカバー部によって、第１横枠部を介して水が浸入することを抑制できるので、建具の止水性を一層向上させることが可能となる。
【０１０７】
付記７に記載の建具によれば、縦枠の下端部のうち第１横枠部と対向する部分及び第２横枠部における建物の屋外側の側部の各々と第１横枠部との相互間に、縦枠の水平移動を許容するための隙間を形成したので、上記上側部が傾斜状又は平坦状に形成された場合でも、地震等によって上記相対水平変位が所定量以上となった場合に、上記第１横枠部と対向する部分及び上記建物の屋外側の側部が上記上側部と当接することを回避しながら、縁切面に対する壁の水平移動に追随して、縁切面に対して縦枠をスムーズに水平移動させることができる。
【符号の説明】
【０１０８】
１  建具
２  床面
３  壁
４  スリット部
５  開口部
６  凹部
１０  枠体
１１  第１戸当たり部
２０  縦枠（戸先側縦枠）
３０  縦枠（戸尻側縦枠）
３１  枠材
３１ａ  第１下端部
３１ｂ  第２下端部
３２  第１凹部
３３  第２凹部
３４  固定材
４０  横枠（上側横枠）
５０  横枠（くつずり横枠）
５１  第１横枠部
５１ａ  上側部
５２  固定材
５３  第２横枠部
５３ａ  凹部
５３ｂ  建物の屋外側の側部
５３ｃ  建物の屋内側の側部
６０  扉体（建具本体）
６１  表面材
６３  把手
７０  ヒンジ部
８０  シール材
８１  バックアップ材
８３  アンカーボルト
８４  第１トロ詰部
８５  第２トロ詰部
９０  連結部材
９１  ナット部
１００  補助部材
１１０  第１補助側片
１１１  取付孔
１２０  第２補助側片
１２１  長孔
１２２  ストッパ部
１３０  水切り部
１４０  水切りカバー部
２００  建具
Ｓ  空間
【図１】
2018048454.tif 000003
【図２】
2018048454.tif 000004
【図３】
2018048454.tif 000005
【図４】
2018048454.tif 000006
【図５】
2018048454.tif 000007
【図６】
2018048454.tif 000008
【図７】
2018048454.tif 000009
【図８】
2018048454.tif 000010
【図９】
2018048454.tif 000011
【図１０】
2018048454.tif 000012
【図１１】
2018048454.tif 000013
【図１２】
2018048454.tif 000014
【図１３】
2018048454.tif 000015